(57)【特許請求の範囲】
【請求項１】
グリッドが挿入される架台に装着可能な放射線検出器と、前記架台に装着されない状態の前記放射線検出器とともに用いられるグリッドユニットと、を有する放射線撮影装置であって、
前記放射線検出器は、
入射した放射線を電気信号に変換し放射線画像を得る放射線センサと、
前記放射線センサを収納する筐体と、
前記筐体に形成された第一の把持部と、
を有し、
前記グリッドユニットは、
グリッドと、
前記グリッドユニットを前記放射線検出器と結合させるための結合部と、
前記放射線検出器と結合されることにより前記放射線検出器の前記第一の把持部とともに１つの把持部を形成し、かつ前記第一の把持部以上の大きさの第二の把持部と、
を有することを特徴とする放射線撮影装置。
【請求項２】
前記放射線検出器の前記第一の把持部は、前記筐体の一辺に沿って設けられ、
前記第二の把持部の該一辺に直行する面による断面が、該面による前記第一の把持部の断面よりも大きいことを特徴とする請求項１に記載の放射線撮影装置。
【請求項３】
前記グリッドユニットを前記放射線検出器に装着した際、前記グリッドユニットの把持部が、前記放射線検出器の把持部を有する側面に重なるように配され、放射線検出器の把持部のＸ線入射面側には重ならないことを特徴とする請求項１に記載の放射線撮影装置。
【請求項４】
前記グリッドユニットの前記結合部は凸部を有し、該凸部が前記放射線検出器の凹部と嵌合することにより前記グリッドユニットと前記放射線検出器が結合される
ことを特徴とする請求項１に記載の放射線撮影装置。
【請求項５】
前記凸部の少なくとも一部を突出または収納させるロック機構をさらに有することを特徴とする請求項４に記載の放射線撮影装置。
【請求項６】
前記凸部は前記グリッドユニットの前記第二の把持部に収納され、前記ロック機構は前記第二の把持部に内蔵されることを特徴とする請求項５に記載の放射線撮影装置。
【請求項７】
前記放射線検出器は、Ｘ線読取領域の中心から把持部を有する辺までの最外距離が、前記Ｘ線読取領域の中心から把持部を有する辺に直行する二辺までの距離と等しい若しくは短いことを特徴とする請求項１に記載の放射線撮影装置。
【請求項８】
前記放射線検出器は、該放射線検出器の状態を報知するための表示部をさらに有し、
前記表示部は、前記放射線検出器と前記グリッドユニットが前記結合した際に少なくとも一部が前記グリッドユニットに覆われず露出する
ことを特徴とする請求項１に記載の放射線撮影装置。
【請求項９】
前記表示部は、前記放射線検出器の前記第一の把持部の開口に隣接して設けられていることを特徴とする請求項８に記載の放射線撮影装置。
【請求項１０】
放射線検出器に電源供給や信号の送受信を行うケーブルの接続部、および、放射線検出器の状態を表示する表示部が、前記放射線検出器の把持部を有する辺にあり、前記グリッドユニットを前記放射線検出器に装着した状態で、前記グリッドユニットの前記第二の把持部が、前記接続部と前記表示部の間に配置されることを特徴とする請求項１に記載の放射線撮影装置。
【請求項１１】
前記グリッドユニットの前記第二の把持部の開口は、前記放射線検出器の前記第一の把持部の開口よりも大きいことを特徴とする請求項１に記載の放射線撮影装置。
【請求項１２】
前記グリッドユニットは、前記グリッドを保持するフレーム部をさらに有することを特徴とする請求項１に記載の放射線撮影装置。
【請求項１３】
前記グリッドユニットは、前記放射線検出器の前記筐体の放射線を入射させるための面を覆うように装着される
ことを特徴とする請求項１に記載の放射線撮影装置。
【請求項１４】
放射線検出器と、該放射線検出器とともに用いられるグリッドユニットと、を有する放射線撮影装置であって、
前記放射線検出器は、
入射した放射線を電気信号に変換し放射線画像を得る放射線センサと、
前記放射線センサを収納する筐体と、
前記筐体に形成された第一の把持部と、
を有し、
前記グリッドユニットは、
グリッドと、
前記グリッドユニットを前記放射線検出器と結合させるための結合部と、
前記放射線検出器と結合されることにより前記放射線検出器の前記第一の把持部とともに１つの把持部を形成し、かつ前記第一の把持部以上の大きさの第二の把持部と、
を有することを特徴とする放射線撮影装置。
【請求項１５】
前記放射線検出器を装着するための架台と、
前記放射線検出器を保持して前記架台に装着された状態とする検出器保持部と、グリッドを保持して前記架台に装着された状態とするグリッド保持部と、
をさらに有することを特徴とする請求項１乃至１４のいずれか１項に記載の放射線撮影装置。
【請求項１６】
放射線検出器に装着して用いられるグリッドユニットであって、
グリッドと、
前記グリッドを保持するフレーム部と、
前記グリッドユニットを前記放射線検出器と結合させるための結合部と、
前記放射線検出器と結合されることにより前記放射線検出器の第一の把持部とともに１つの把持部を形成し、かつ前記第一の把持部よりも大きな第二の把持部と、
を有することを特徴とするグリッドユニット。
【請求項１７】
前記放射線検出器の前記第一の把持部は、前記放射線検出器の筐体の一辺に沿って設けられており、
前記第二の把持部が該一辺に直行する面による断面が、該面による前記第一の把持部の断面よりも大きいことを特徴とする請求項１６に記載のグリッドユニット。
【発明の詳細な説明】
【技術分野】
【０００１】
本明細書に開示される技術は、放射線を電気信号に変換する放射線検出器と、放射線検出器とともに用いられるグリッドユニットとを有する放射線撮影装置、放射線撮影システムに関する。
【背景技術】
【０００２】
デジタルＸ線検出器は従来のＸ線フィルムやＣＲ（Ｃｏｍｐｕｔｅｄ  Ｒａｄｉｏｇｒａｐｈｙ）イメージングプレートの現像処理が不要なため撮影後すぐに画像を確認できるメリットがある。一方で、デジタルイメージセンサや電気回路を筐体内に備えることとなるため、重量が増加し、また大型化してしまう。特許文献１では、デジタルＸ線検出器に把持部を設けて可搬性を向上させる技術が開示されている。
また従来の撮影から、被写体等により散乱されたＸ線の影響が大きい場合には、これを除去するため非特許文献１に示すような散乱Ｘ線除去用グリッド（以下グリッドとする）が用いられる。グリッドによりＸ線画像のコントラストを改善することができる。立位撮影などの場合には専用の架台にグリッドとＸ線検出器とを装着し、撮影が行われる。また、病棟での撮影の場合には、特許文献２のようにＸ線検出器にグリッドを装着し撮影が行われる。
【先行技術文献】
【特許文献】
【０００３】
【特許文献１】特許第３５７７００３号公報
【特許文献２】特開２０１０−２４３２６４号公報
【非特許文献】
【０００４】
【非特許文献１】ＪＩＳ  Ｚ  ４９１０  散乱Ｘ線除去用グリッド
【発明の概要】
【発明が解決しようとする課題】
【０００５】
把持部を有するデジタルＸ線検出器では、架台への装着をする場合、撮影領域を大きくとるため把持部を小さくせざるを得ず、結果として把持部による可搬性、操作性が低下してしまう。特に、デジタルＸ線検出器にグリッドを装着した際には重量が増加するため、さらに可搬性が悪化してしまう。
【課題を解決するための手段】
【０００６】
上述の課題に対応した構成を有する放射線撮影装置は、グリッドが挿入される架台に装着可能な放射線検出器と、前記架台に装着されない状態の前記放射線検出器とともに用いられるグリッドユニットと、を有する放射線撮影装置であって、前記放射線検出器は、入射した放射線を電気信号に変換し放射線画像を得る放射線センサと、前記放射線センサを収納する筐体と、前記筐体に形成された第一の把持部と、を有し、前記グリッドユニットは、グリッドと、前記グリッドユニットを前記放射線検出器と結合させるための結合部と、前記放射線検出器と結合されることにより前記放射線検出器の前記第一の把持部とともに１つの把持部を形成し、かつ前記第一の把持部以上の大きさの第二の把持部と、を有することを特徴とする。
【０００７】
また、上述の課題に対応した構成を有するグリッドユニットは、放射線検出器に装着して用いられるグリッドユニットであって、グリッドと、前記グリッドを保持するフレーム部と、前記グリッドユニットを前記放射線検出器と結合させるための結合部と、前記放射線検出器と結合されることにより前記放射線検出器の第一の把持部とともに１つの把持部を形成し、かつ前記第一の把持部よりも大きな第二の把持部と、を有することを特徴とする。
【発明の効果】
【０００８】
本発明によれば、放射線検出器にグリッドを装着することで把持部が大きくなるため可搬性や操作性を向上させることができる。
【図面の簡単な説明】
【０００９】
【図１】図１（ａ）は実施例に係るＸ線検出器の正面図である。図１（ｂ）はＸ線検出器の断面図である。
【図２】図２（ａ）は臥位の架台に装着されたＸ線検出器を示す図である。図２（ｂ）は臥位の架台を真上から見た図である。
【図３】実施例に係るグリッドユニットの正面図である。
【図４】実施例に係るＸ線検出器とグリッドユニットの結合を示す図である。
【図５】図５（ａ）は実施例に係るＸ線検出器にグリッドユニットを装着した状態を示す図である。図５（ｂ）は装着時のＸ線検出器及びグリッドユニットの断面図である。
【図６】グリッドユニットを着脱するロック機構を示した図である。
【図７】他の実施例に係る架台にＸ線検出器を装着した状態を示す図である。
【図８】他の実施例に係るＸ線検出器にグリッドユニットを装着した状態を示す図である。
【発明を実施するための形態】
【００１０】
［実施例１］
以下、グリッドが挿入される架台に装着可能な放射線検出器と、前記架台に装着されない状態の前記放射線検出器とともに用いられるグリッドユニットと、を有する放射線撮影装置の実施例について説明する。
【００１１】
図１は、本実施例における可搬性を有するＸ線検出器１００を示す図である。図１（ａ）はＸ線入射面から見た正面図であり、図１（ｂ）は図１（ａ）のＡ−Ａ断面図であるＸ線画像の撮影時は、Ｘ線発生装置（不図示）とＸ線検出器１００の間に被撮影体を配して、被撮影体を透過したＸ線をＸ線検出器１００で読取り、画像情報を得る。上記撮影の際には、Ｘ線検出器１００の上に被験者が直接乗って撮影する場合がある。また、Ｘ線検出器１００を運搬する際に、不注意によって衝突させたり、落下させたりする場合がある。そのため、Ｘ線検出器１００は十分な機械的強度を確保する必要がある。また、運搬の際の負担軽減のために軽量化することも必要である。そのためＸ線検出器１００を形成する筐体１０２には、アルミニウムやマグネシウムなどの材料が好んで用いられている。図１（ｂ）において、筐体１０２の内部には入射したＸ線を電気信号に変換しＸ線画像を得るＸ線センサパネル１０６（Ｘ線センサ）が配置されている。Ｘ線センサパネル１０６は、ガラス基板に光電変換素子と蛍光体が積層されて構成される。Ｘ線センサパネル１０６に照射したＸ線によって蛍光体が発光し、その光を光電変換素子が電気信号に変換することで、画像信号を得る。また、Ｘ線センサパネル１０６は、フレキシブル基板１０８を介してドライブ回路、アナログ増幅器、Ａ／Ｄ変換器などを有する電気回路基板１０９と接続されている。電気回路基板１０９によって、Ｘ線センサパネル１０６の制御や画像信号の処理が行われる。Ｘ線センサパネル１０６、電気回路基板１０９は、外部からの荷重や運搬時の振動などによって変形や割れが生じないよう剛性を持つ基台１０７に固定されている。Ｘ線センサパネル１０６、電気回路基板１０９、基台１０７は筐体１０２に収納される。Ｘ線センサパネル１０６のＸ線入射面側に金属製の筐体１０２があると、入射したＸ線が吸収されるために良い画像が得られない。そのため、ＣＦＲＰなどで作られるＸ線透過板１０３を配する。Ｘ線透過板１０３には、Ｘ線センサパネル１０６の読取中心、読取範囲が分かる指標１０４、１０５が記されている。
【００１２】
図１に示すように、Ｘ線検出器１００には、筐体１０２の一部として可搬用の把持部（第一の把持部）１０１、開口部１１２が形成されている。把持部１０１を把持して持ち運びが出来るため、操作性の向上が実現される。その反面、外形サイズが大きくなることで、胸部撮影用の立位スタンドや、横臥状態での撮影台などの各種架台に収納する際に、把持部１０１が干渉して入らなくなってしまう場合がある。そのため、開口部１１２と把持部１０１とで占められる幅Ｗ０を小さくしなければいけない制約がある。開口部１１２の幅を小さくすると、指が入らなくなり、把持して持ち運びすることが不可能になる。Ｘ線画像撮影時の撮影技師の被爆を防ぐために、撮影技師が防護手袋を装着してＸ線検出器１００を把持する場合があり、その場合にも指が開口部に入る必要がある。上記防護手袋は一般的にＸ線を防護可能な量の鉛が入っているためにサイズが大きいため、開口部１１２の幅は十分に大きくする必要がある。そのため、幅Ｗ０を小さくして、各種架台に収納可能なＸ線検出器１００を作るためには、把持部１０１の幅Ｗ１を小さくすることが求められる。
【００１３】
図２に基づいて、上述のＸ線検出器を架台に装着して用いる場合を説明する。図２（ａ）は、臥位の架台にＸ線検出器１００を装着した状態を側面から見た図である。図２（ｂ）は図２（ａ）の架台をＸ線入射方向から見た図である。
【００１４】
図２に示すように、図２で示されるように、被写体６が載置される架台７の下にはＸ線検出器１００の収納部８が装備され、Ｘ線検出器１００を収納、保持可能な構造となっている。可搬型のＸ線検出器１００をＸ線撮影用の放射線室等で使用する際に、所望の撮影形態に合わせた架台が用意されており、Ｘ線検出器１００を架台内に収納することで被験者に対する位置決めが容易になる。架台には、本実施例のように横臥状態での撮影台のほか、胸部撮影用の立位スタンドなどがある。架台７は、Ｘ線検出器１００のサイズによっては、従来のフィルムカセッテで用いられていた架台をそのまま利用することとしてもよい。
【００１５】
収納部８はＸ線検出器１００を収納・保持する検出器保持部として機能する。また、放射線除去用グリッド（以下グリッド）９を収納・保持するグリッド保持部として機能する。このように収納部８はＸ線検出器１００及びグリッド９を収納、保持し、架台７に装着された状態とする。グリッドとして収束グリッドを用いる場合には、装着状態となった時点でＸ線発生装置３のＸ線焦点とグリッドの焦点が合うように、また一般にはＸ線検出器１００の中心とグリッド９の中心がＸ線焦点から見て重なるように配置される。Ｘ線検出器１００は収納部８から出し入れすることにより着脱可能である。同様に、グリッド９も架台に着脱可能である。グリッドには、グリッド密度、集束距離、グリッド比などの特性の異なるものが複数存在し、撮影対象や診断用途によって適切な特性のグリッドが選択される。なお、グリッド９については架台に固定され挿入、離脱可能でなくても良い。四肢骨や乳幼児などのＸ線の散乱が少ない撮影対象には、グリッドを用いずに撮影する場合もある。
【００１６】
また、グリッド９は撮影時常に装着されておらずとも良く、たとえば四肢の撮影など散乱線が比較的少ない部位の撮影についてはグリッドを取り外して撮影を行ってもよい。
【００１７】
図２（ｂ）に示すように、架台７に収納されたＸ線検出器１００及びグリッド９により適切な位置となるように被写体６、またはＸ線検出器１００及びグリッド９を移動させ、固定し、撮影を開始する。
【００１８】
画像処理部４はＸ線検出器１００がＸ線を受光して得た電気信号に基づくＸ線画像にオフセット補正、ゲイン補正、欠陥画素補正、階調変換処理、ダイナミックレンジ圧縮処理などの所定の画像処理を施す。画像処理が施されたＸ線画像は表示部５に表示される。
【００１９】
次に、図３を用いて本実施例におけるグリッドユニット２００の説明をする。グリッドユニット２００は、フレーム部２０２にグリッド２０３を貼り付けて構成される。ロック部２０５及びツメ部２０６はグリッドユニット２００とＸ線検出器１００とを結合させるための結合部であり、フレーム部２０２をＸ線検出器１００の外側に固定する。これによりグリッド２０３をＸ線検出器１００の前面に配し、散乱線を除去した画像の撮影を可能にする。グリッド２０３は、鉛などのＸ線遮蔽体とＸ線吸収の少ない中間物質の層構成になっているため、機械的な強度が弱い。そのため、フレーム部２０２を鉄などの金属で形成することで、グリッド２０３の変形、破損を抑制する。また、グリッドユニット２００は把持部（第二の把持部）２０１を有しており、Ｘ線検出器１００とグリッドユニット２００が結合されることによりＸ線検出器１００の把持部１０１とともに１つの把持部を形成する。これにより持ち運び時の操作性が向上されている。
【００２０】
次に、図４及び図５を用いて、Ｘ線検出器１００にグリッドユニット２００を装着して使用する際の構造を説明する。図３は、Ｘ線検出器１００とグリッドユニット２００の装着方法を示す。図５（ａ）はＸ線検出器１００にグリッドユニット２００を装着した際のＸ線入射面から見た正面図、図５（ｂ）は図５（ａ）のＡ−Ａ断面図である。図４において、グリッドユニット２００のフレーム部２０２は、下辺および側辺を折り曲げて側壁が形成されており、この側壁と把持部２０１とで作られる矩形領域にＸ線検出器１００を配置する。上記矩形領域とＸ線検出器１００との隙間を規定することで、グリッドユニット２００をＸ線検出器１００に対して規定の位置に固定することが出来る。また、フレーム部２０２を折り曲げることで、剛性を上げることが可能となる。
【００２１】
Ｘ線検出器１００にグリッドユニット２００を装着した際は、それぞれの把持部１０１、２０１が重なりあって、幅Ｗ３の把持部が形成される。一般病室や屋外などで持ち運びしながらＸ線検出器１００を使用する際には、上記装着状態で使用することで、グリッドをＸ線検出器１００の前面に配置した撮影が行われる。一方、Ｘ線検出器１００を各種架台に収納して撮影する際は、一般的に架台がグリッドの保持機構を有しており、グリッドユニット２００を装着した状態で収納されることは無い。そのため、幅Ｗ３には、前記Ｘ線検出器１００の把持部１０１の幅Ｗ１のような架台収納のためのサイズ制約は無く、握りやすさを考慮して設定できる。具体的には、幅を２０〜４０ｍｍに設定することで握りやすい形状とすることが出来る。同様に、グリッドユニット２００の把持部２０１にも、架台に収納するためのサイズ制約は無く、Ｘ線検出器１００の把持部１０１よりも断面サイズを大きくして握りやすい形状とすることが好ましい。また、把持部を握る手で水平状態に持ち上げる場合など、把持部にあおる力をかけるケースがあり、その場合には幅Ｗ２、Ｗ３が大きいことが好ましい。幅Ｗ２、Ｗ３は、これらの条件から任意に決定することが出来る。グリッドユニット２００の把持部２０１は、Ｘ線検出器１００と結合されることによりＸ線検出器１００の把持部１０１とともに１つの把持部を形成し、かつ把持部１０１以上の大きさであることが望ましい。つまり、Ｘ線検出器１００の筐体の一辺に沿って設けられた把持部１０１の該一辺に直行する面による断面が、該面による把持部２０１の断面以下の大きさとなる。たとえば好ましくは、Ｗ１≦Ｗ２であり、Ｗ２、Ｗ３のそれぞれが共に２０〜４０ｍｍとなる。特に、把持する部分にＸ線検出器１００をあおる力を加える際に、この把持部の断面の大きさが大きな効果を奏する。Ｘ線検出器１００をあおる力とは、把持部１０１及び２０１の軸方向に対して回転させる方向へとかける力である。あおる力は即ち把持部１０１及び２０１の軸方向に対するモーメントの大きさに比例するため、把持部２０１を大きく取ることでより少ない力でＸ線検出器１００をあおることができる。
【００２２】
また、グリッドユニット２００の把持部２０１は、Ｘ線検出器１００の把持部１０１を有する側面に重なるように配され、Ｘ線入射面側には重ならないことが好ましい。Ｘ線入射面側にも重なるように形成すると、把持部２０１が略Ｌ字状の断面となるため、グリッドユニット２００を単体で把持したときの不快感が生じるためである。
【００２３】
図６に基づいて、Ｘ線検出器１００とグリッドユニット２００を結合または結合を解除するためのロック機構を説明する。図６はＸ線検出器１００とグリッドユニット２００を装着した状態での断面図である。
【００２４】
グリッドユニット２００にはツメ部（凸部）２０６とロック部（凸部）２０５からなる結合部を有しており、これがＸ線検出器１００の凹み部（凹部）１１０及び凹み部（凹部１１１にする嵌合することで、Ｘ線検出器１００に引掛かる。これによってグリッドユニット２００とＸ線検出器１００とが結合される。
【００２５】
Ｘ線検出器１００の下辺には凹み部１１０が形成され、グリッドユニット２００の下側側壁に、上記凹み部１１０に対応する位置にツメ部２０６が設けられる。凹み部１１０にツメ部２０６を引掛けることで、グリッドユニット２００の下辺を、Ｘ線検出器１００に対して厚み方向に固定する。
【００２６】
同様に、Ｘ線検出器１００の上辺に凹み部１１１を形成し、グリッドユニット２００の把持部２０１に、上記凹み部１１１に対応する位置にロック部２０５を設ける。ロック部２０５を凹み部１１１に引掛けることで、グリッドユニット２００の上辺を、Ｘ線検出器１００に対して厚み方向に固定する。ロック部２０５はスイッチ２０４によって出し入れ可能に構成される。スイッチ２０４はロック部（凸部）２０５を出し入れするためのスイッチである。スイッチ２０４をユーザが押下することに応じてロック部２０５が図のＹ方向に引き戻され、把持部２０１内に収納される。スイッチを押下しない状態ではロック部２０５は突出した状態とされる。装着する際にはスイッチ２０４を押下した状態で、ユーザがＸ線検出器１００を図のＲ方向に移動させ、スイッチ２０４をリリースすることにより、ロック部２０５がＸ線検出器１００の凹み部（凹部）１１１と嵌合する。すると、Ｘ線検出器１００はこのロック部２０５に引っかかり、Ｘ線検出器１００はグリッドユニット２００と結合される。
【００２７】
このように、グリッドユニット２００をＸ線検出器に装着する際は、下側のツメ部２０６を引掛け、その後、グリッドユニット２００をＸ線検出器１００に重ね合わせた状態で、スイッチ２０４の操作によってロック部２０５を引掛ける。上記構成によって、グリッドユニット２００をＸ線検出器１００に容易に着脱可能となる。
【００２８】
更に、ロック部２０５によってグリッドユニット２００とＸ線検出器１００が固定されているので、不注意で片方だけを落とすことが避けられる。また、把持する部分近傍にロック部２０５があることで、Ｘ線検出器１００とグリッドユニット２００が厚み方向にずれること無く取り扱うことが出来る。特に、把持する部分にＸ線検出器１００をあおる力を加える際、上記のずれ抑制効果は好ましく機能する。なお図６に示すように、ここでロック部２０５は把持部２０１に収納され、ロック部２０５の突出・収納とスイッチ２０４とを連動させるロック機構部は、把持部２０１内に内蔵されることで大型化を防いでいる。また、グリッドには、グリッド密度、集束距離、グリッド比などの特性の異なるものが複数存在し、撮影対象や診断用途によって適切な特性のグリッドが選択される必要がある。そのため、グリッドの着脱や交換が容易にできることが重要である。本実施例によればグリッドユニット２００はスイッチ２０４により簡単に着脱できるため、複数のグリッドユニットの中から撮影に応じて適切なグリッドユニットを容易に選択、利用することができる。
【００２９】
以上の構成によって、Ｘ線検出器の把持部の幅にサイズ制約がある場合、特に架台に装着した状態で用いられるＸ線検出器について、グリッドを装着して持ち運びする際の操作性の良いＸ線画像撮影装置を提供できる。Ｘ線検出器を架台に装着した場合には撮影領域を大きく取ることができる。加えて架台に装着されない状態でグリッドを用いずに撮影をする場合には、小型で扱いやすいというメリットがある。
【００３０】
そして架台に装着されない状態でグリッドを用いた撮影を行う場合、たとえばＸ線検出器を持ち運びしながら使用する一般病棟や野外などの撮影では、グリッドをＸ線検出器に直接装着するため、総重量が重くなり、細い把持部での操作性の低減は免れない。更に、移動頻度が多いことから操作性の良いものが求められているそこで、本実施例のグリッドユニットにより、グリッドによる重量増を補いさらに可搬性及び操作性を向上させることができる。特に、ユーザが把持部を把持した状態でのあおり操作を行ううえで有用である。
【００３１】
［実施例２］
以下、本発明が好ましく適用されるＸ線検出器１００の実施例について説明する。具体的には、既存の各種架台に収納可能であり、更に、従来のフィルムカセッテと同様の方法でＸ線検出器１００のＸ線読取中心と架台の中心位置合わせが可能なＸ線検出器１００の構成を示す。
【００３２】
図７は、Ｘ線検出器１００を撮影台などの架台の収納部３００に入れたときの使用形態を示す図である。収納部３００は、図中の横方向に移動可能な位置決め機構３０１を２つ有しており、それぞれが連動して動く。これと同様に、図中縦方向に移動可能な位置決め機構３０２も有する。収納部３００は、一般的に、１４×１７インチの画像有効領域を有する従来のフィルムカセッテの規格サイズ（３８４×４６０ｍｍ）に合わせて設計されている。フィルムカセッテを９０°回転させて搭載する場合もあるため、位置決め機構３０１、３０２で形成される搭載領域の最大外形は、１辺が４６０ｍｍの正方形となっており、位置決め機構３０１、３０２が移動することで搭載する撮影装置に合わせた搭載領域を作る。従来のフィルムカセッテのような上下左右に対称形状を持つ撮影装置においては、この位置決め機構の動きによって、収納部３００の中心と、収納した撮影部の中心を一致させることが可能となっている。
【００３３】
把持部１０１を有するＸ線検出器１００においても、以下の構成で、同様の位置決め機構によって中心位置決めが可能となる。Ｘ線検出器１００の、Ｘ線読取領域の中心から把持部１０１までの最外距離をＬ１とし、Ｘ線読取領域の中心から把持部１０１を有する辺に直行する二辺までの距離をＬ２とする。ここで、Ｘ線検出器１００は、Ｘ線読取領域（撮像領域）の中心から把持部１０１を有する辺までの最外距離が、Ｘ線読取領域の中心から把持部１０１を有する辺に直行する二辺までの距離と等しい若しくは短いように寸法が取られている。つまりＬ１、Ｌ２が、Ｌ１≦Ｌ２の関係を満たすように形成されている。具体的には、Ｌ２は従来のフィルムカセッテの規格サイズが考慮され約２３０ｍｍ（＝４６０×１／２）に設計される。またＬ１は、位置決め機構の最大外形の１／２以下（約２３０ｍｍ以下）に設計する。加えて、スペーサ３０３を把持部１０１と反対側の辺に配置して、Ｘ線読取領域の中心からスペーサ３０３までの最外距離がＬ１となるようにする。これにより、従来のフィルムカセッテ用の収納部３００においても、Ｘ線検出器１００のＸ線読取領域の中心と、収納部３００の中心を合わせることが可能となる。
【００３４】
上記のＸ線検出器１００においては、Ｌ１のサイズ制約があるために、把持部１０１の幅Ｗ１を大きくすることが難しい。具体的には、開口部１１２と把持部１０１とで占められる幅Ｗ０を４０ｍｍ以下にする必要がある。実施例１で前述のように、開口部の幅が小さいと防護手袋を装着した際等に指が入らなくなり、把持して持ち運びすることが不可能になる。そのため、開口部の幅は３０ｍｍ程度必要であり、Ｗ１は１０ｍｍ以下にする必要がある。そのため、本発明が好ましく適用され、グリッドを装着して持ち運びする際の操作性の良いＸ線画像撮影装置が実現できる。
【００３５】
［実施例３］
次に、図８を用いて、Ｘ線検出器４００にグリッドユニット５００を装着した構成を説明する。Ｘ線検出器４００に電源供給や信号の送受信を行うケーブル４０３の接続部、および、Ｘ線検出器４００の状態を表示する表示部４０４が、Ｘ線検出器４００の把持部４０１を有する辺に配置される。また、グリッドユニット５００をＸ線検出器４００に装着した状態で、グリッドユニット５００の把持部５０１が、上記ケーブル４０３の接続部と表示部４０４の間に配置される。
【００３６】
Ｘ線検出器４００には、電源の供給や、外付けの制御部との通信のためのケーブル４０３が接続されている。無線技術やバッテリ技術によって、ケーブルを用いない構成も実現されており、実施例１に示したようなＸ線検出器も可能となっている。しかし、バッテリ充電の必要性や撮影場所での無線環境などによっては、ケーブルを接続した構成が好まれる場合もある。把持部４０１を有する辺にケーブル４０３を接続し、グリッドユニット５００の把持部５０１がケーブル４０３を避けた形状とすることで、ケーブル４０３を接続した状態でグリッドユニット５００を着脱可能とすることが出来る。
【００３７】
また、Ｘ線検出器４００には、撮影状態や電源供給状態等のＸ線検出器４００の状態をユーザに報知するための表示部４０４を有する。これによって、Ｘ線検出器４００の状態を確認することができ、操作者の作業ミスを少なくすることが可能となる。ここで、グリッドユニット５００を装着した際に表示部４０４がユーザから視認できない状態となるのを防ぐため、把持部５０１、および、フレーム部５０２を、上記表示部４０４を避けた構造とする。具体的には、グリッドユニット５００を、Ｘ線検出器４００と結合した際に表示部４０４の少なくとも一部がグリッドユニット５００に覆われず露出するような形状とする。また、Ｘ線検出器４００の表示部４０４をグリッドユニット５００の形状を考慮して配置する。撮影領域付近にはアナログ回路、ドライブ回路などの部品が多く存在するため、把持部１０１内の空間を利用して表示部４０４を設ける。特に、グリッドユニット５００の開口がＸ線検出器１００の開口よりも大きくなることを利用して、表示部４０４を把持部４０１の開口に隣接して設けることができる。これにより、デジタル方式のＸ線検出器４００の制約を考慮しつつ筐体内の領域を有効活用してＸ線検出器の小型化にも貢献する。
【００３８】
上記の構成により、ケーブルや表示部を有するＸ線検出器においても、ケーブルや表示部を利用しつつグリッドを用いた撮影が可能となる。
【００３９】
［その他の実施例］
上述の実施例では、デジタル方式のＸ線検出器とグリッドユニットについて述べたが、Ｘ線に限らず、アルファ線、ベータ線、ガンマ線等、その他の放射線を検出し放射線画像を得る検出器に上述の実施例に記載された技術を適用してもよい。この場合、Ｘ線センサは検出対象の放射線に合わせた適切な放射線センサを用いることとなる。
【００４０】
また、架台への装着によるＸ線検出器の把持部のサイズ制限に着目して実施例を説明したが、これに限らず、Ｘ線検出器の小型化の要求に合わせて把持部を最低限の性能に抑える必要がある場合がある場合に、上述の実施例に記載された技術を適用しても良い。
【００４１】
そのほか、上述の実施例はあくまで例示であり、本発明の範囲は実施例の記載に限定されない。
【符号の説明】
【００４２】
１００、４００  Ｘ線検出器
１０１、４０１  把持部
２００、５００  グリッドユニット
２０１、５０１  把持部
【図１】
0006032876.tif 000002
【図２】
0006032876.tif 000003
【図３】
0006032876.tif 000004
【図４】
0006032876.tif 000005
【図５】
0006032876.tif 000006
【図６】
0006032876.tif 000007
【図７】
0006032876.tif 000008
【図８】
0006032876.tif 000009